(57)【要約】【課題】ドラムセットの設置スペースを大きくすることなく、電子ドラムのキックパッドをアコースティックドラムに取り付け可能な、キックパッドの支持装置を提供する。【解決手段】キックパッド１の支持装置４０は、ビーターにより叩くことで生じる振動を電気信号に変換して出力する圧電素子を備えたキックパッド１を支持した支持フレーム４１〜４４と、キックパッド１の打面２ａをビーターにより叩く位置に配置させた状態で支持装置４０をバスドラムのシェルの内面に固定した固定フレーム５１、５２と、を有する。【選択図】      図５
2019184939.tif 000002
【特許請求の範囲】
【請求項１】
ビーターにより叩くことで生じる振動を電気信号に変換して出力するセンサを備えたキックパッドを支持した支持部と、
前記キックパッドの打面を前記ビーターにより叩く位置に配置させた状態で前記支持部をバスドラムの胴部の内面に固定した固定部と、
を有するキックパッドの支持装置。
【請求項２】
前記固定部は、前記支持部と前記胴部の間に設けた弾性部材を介して前記支持部を前記胴部に固定する、
請求項１のキックパッドの支持装置。
【請求項３】
前記支持部は、前記キックパッドを弾性的に支持した緩衝部材を有する、
請求項１または請求項２のキックパッドの支持装置。
【請求項４】
前記固定部は、前記支持部の一端を前記胴部の内面に固定した第１固定部、および前記支持部の他端を前記胴部の内面に固定した第２固定部を有する、
請求項１または請求項２のキックパッドの支持装置。
【請求項５】
前記第１固定部および前記第２固定部は、それぞれ、前記胴部の内面に沿って湾曲した湾曲部材、および前記湾曲部材の湾曲方向に離間した２位置で当該湾曲部材を前記胴部に固定する固定部材を有する、
請求項４のキックパッドの支持装置。
【発明の詳細な説明】
【技術分野】
【０００１】
本発明は、例えば、電子ドラムのキックパッドをアコースティックドラムに取り付けるための支持装置に関する。
【背景技術】
【０００２】
近年、電子ドラムのキックパッドをアコースティックドラムに取り付ける要求が高まりつつある。この種のキックパッドとして、例えば、バスドラムのヘッドにキックパッドを取り付けた装置や、スタンドに固定したキックパッドをヘッドの手前に設置した装置などが知られている。
【先行技術文献】
【特許文献】
【０００３】
【特許文献１】米国特許第８，０３９，７２４号明細書
【特許文献２】米国特許第９，２５７，１０６号明細書
【発明の概要】
【発明が解決しようとする課題】
【０００４】
しかし、上述した従来の装置のように、キックパッドをヘッドに取り付けたりヘッドの手前に設置したりすると、キックパッドの分だけバスドラムの厚みが増すことになり、その分、バスドラムが前に出てしまい、ドラムセットを設置するためのスペースが大きくなってしまう。
【０００５】
本発明は、上記の点に鑑みてなされたもので、ドラムセットの設置スペースを大きくすることなく、電子ドラムのキックパッドをアコースティックドラムに取り付け可能な、キックパッドの支持装置を提供することを目的とする。
【課題を解決するための手段】
【０００６】
本発明のキックパッドの支持装置は、ビーターにより叩くことで生じる振動を電気信号に変換して出力するセンサを備えたキックパッドを支持した支持部と、キックパッドの打面をビーターにより叩く位置に配置させた状態で支持部をバスドラムの胴部の内面に固定した固定部と、を有する。
【発明の効果】
【０００７】
本発明のキックパッドの支持装置を用いると、キックパッドをバスドラムの中に取り付けることができ、ドラムセットの設置スペースを大きくすることなく、電子ドラムのキックパッドをアコースティックドラムに取り付けることができる。
【図面の簡単な説明】
【０００８】
【図１】図１は、アコースティックドラムのセットを演奏者側から見た外観図である。
【図２】図２は、図１のバスドラムの中に設置するキックパッドを支持装置に取り付けた組立体の第１の実施形態を示す外観斜視図である。
【図３】図３は、図１のバスドラムのフープの固定具を示す部分拡大斜視図である。
【図４】図４は、図２の組立体をバスドラムの中に取り付けた状態を示す概略図である。
【図５】図５は、図１のバスドラムの中に設置するキックパッドを支持装置に取り付けた組立体の第２の実施形態を示す外観斜視図である。
【図６】図６は、図５の組立体をバスドラムの中に取り付けた状態を示す概略図である。
【図７】図７は、図５の支持装置の下固定フレームおよびその固定構造を分解して示す部分拡大分解斜視図である。
【図８】図８は、図７の弾性部材を示す斜視図である。
【図９】図９は、図８の弾性部材を示す断面図である。
【発明を実施するための形態】
【０００９】
以下、本発明を実施するための形態について図面を参照して説明する。  
図１は、アコースティックドラムのセット１００（以下、ドラムセット１００と称する）を演奏者側（手前側）から見た外観図である。一般的なドラムセット１００は、スネアドラム１０１、バスドラム１０２、タム１０３、１０４、フロアタム１０５、ハイハットシンバル１０６、クラッシュシンバル１０７、およびライドシンバル１０８を含む。
【００１０】
ドラムセット１００の手前側には、演奏者が座る椅子１００ａがセットされる。また、バスドラム１０２の手前側には、椅子１００ａに座った演奏者が足で操作するフットペダル１０９が取り付けられる。フットペダル１０９は、バスドラム１０２のヘッド１０２ａを叩くためのビーター１０９ａを備えている。フットペダル１０９は、バスドラム１０２の手前側のフープ１０２ｃに取り付けられる。フットペダル１０９の構造やフープ１０２ｃへの取り付け方法などについては、周知の技術であるため、ここではその詳細な説明を省略する。
【００１１】
バスドラム１０２の中、すなわちヘッド１０２ａの内側には、第１の実施形態に係る支持装置１０により電子ドラムのキックパッド１を支持した組立体３０が配置される。図２は、組立体３０の外観斜視図である。図１では、組立体３０の図示を省略してある。キックパッド１は、本実施形態の支持装置１０を用いて、ヘッド１０２ａを間に挟んでビーター１０９ａにより叩かれる位置に配置される。
【００１２】
キックパッド１を備えたバスドラム１０２は、いわゆる電子ドラムとして機能する。このため、アコースティックドラムに必要とされる演奏者側のヘッド１０２ａは省略することができる。つまり、キックパッド１の打面をビーター１０９ａによって直接叩くことも可能である。
【００１３】
しかし、本実施形態のように、ヘッド１０２ａを取り付ける場合、アコースティックドラムとして使用するときと同じテンションを与えない。つまり、ビーター１０９ａでキックパッド１を叩いた際に、ヘッド１０２ａからビーター１０９ａに対して跳ね返り力が付与されない程度のテンションでヘッド１０２ａを取り付けることが望ましい。或いは、ビーター１０９ａの跳ね返りが弱いメッシュ素材により形成したヘッド１０２ａをゆるく張って取り付けてもよい。
【００１４】
或いは、プラスチックフィルムや本革を使ったヘッド１０２ａをバスドラム１０２の手前側に取り付けてもよい。この場合、ビーター１０９ａによる打撃音が大きくなってもよいのであれば、ヘッド１０２ａをアコースティックドラムと同様のテンションで取り付けてもよい。いずれにしても、ヘッド１０２ａは、キックパッド１の打面に近接或いは接触するように取り付けることが望ましい。
【００１５】
アコースティックドラムのバスドラム１０２は、表裏２枚のヘッド１０２ａ（図１では手前側のヘッド１０２ａのみ図示）、円筒形のシェル１０２ｂ（胴部）、および表裏２つの円環状のフープ１０２ｃを有する。ヘッド１０２ａは、円形のシート状のものであり、シェル１０２ｂの手前側（または奥側）の開口部を塞ぐように取り付けられる。ヘッド１０２ａの外周縁は、フープ１０２ｃによりシェル１０２ｂの縁に押え付けられる。この状態で、フープ１０２ｃは、図３に示す複数の固定具１０２Ａを用いて、シェル１０２ｂの周縁に沿った複数箇所で、シェル１０２ｂに締め付け固定される。
【００１６】
ヘッド１０２ａをシェル１０２ｂに取り付ける場合、ヘッド１０２ａの外周縁をシェル１０２ｂの縁との間に挟むようにフープ１０２ｃをシェル１０２ｂに取り付ける。そして、フープ１０２ｃの複数箇所に固定具１０２Ａのフック１０２ｄを引っ掛けて、キーボルト１０２ｅを挿通し、シェル１０２ｂに固定したラグ１０２ｆにキーボルト１０２ｅをネジ留めする。複数のラグ１０２ｆは、シェル１０２ｂの周方向に沿って等間隔で設けられており、シェル１０２ｂを貫通した図示しないネジによりシェル１０２ｂに固定される。
【００１７】
アコースティックドラムのバスドラム１０２は、図示しないチューニングキーを用いてチューニングされる。すなわち、フープ１０２ｃに沿って取り付けた複数の固定具１０２Ａのキーボルト１０２ｅをチューニングキーで回して、ヘッド１０２ａの張り具合を調整する。これにより、ビーター１０９ａで叩いたときのバスドラムの音の高さを変えることができる。チューニングキーによるチューニングは、複数のキーボルト１０２ｅを偏りなく平均して締め付けることによりなされる。
【００１８】
（第１の実施形態）
以下、図２および図４を参照して、第１の実施形態に係る支持装置１０について説明する。図４は、キックパッド１を支持装置１０に取り付けた組立体３０をバスドラム１０２の中に取り付けた状態を示す概略図である。以下の説明では、ビーター１０９ａがキックパッド１（ヘッド１０２ａ）を叩く方向を奥側（或いは背面側）と称する。また、その反対側を手前側（或いは前面側）と称する。
【００１９】
支持装置１０は、略矩形の金属板を形状加工することにより形成された底部プレート１１を有する。底部プレート１１は、その長手方向に沿った２つの縁部を図示上方に略直角に折り曲げた構造のリブ１１ａ、１１ａを有する。これらリブ１１ａ、１１ａを設けることで、底部プレート１１の剛性が高められている。底部プレート１１は、バスドラム１０２のシェル１０２ｂの下方の内面に対向して、２本のリブ１１ａが手前側と奥側に配置されて且つ上を向く姿勢で、バスドラム１０２の中に略水平な姿勢で配置される。
【００２０】
底部プレート１１は、４本のスリット１１ｂを有する。各スリット１１ｂには、後述する２つの取付脚部１２、１２をその下面側に取り付けるためのネジ１３を挿通する。底部プレート１１（すなわち支持装置１０）は、２つの取付脚部１２、１２を介してバスドラム１０２のシェル１０２ｂに固定される。２つの取付脚部１２、１２は、支持装置１０の固定部として機能する。
【００２１】
各スリット１１ｂは、それぞれ、底部プレート１１を貫通して底部プレート１１の長手方向（演奏者から見て左右方向）に延びて２つのリブ１１ａの間に設けられている。２つの取付脚部１２、１２を図示左右方向に互いに離間して取り付けるため、４本のスリット１１ｂは、底部プレート１１の長手方向に離間して底部プレート１１の４つの角部近くにそれぞれ設けられている。
【００２２】
４本のスリット１１ｂを介して取付脚部１２を取り付けることにより、底部プレート１１の長手方向（図示左右方向）に沿った取付脚部１２の間隔を調整することができる。本実施形態の支持装置１０は、シェル１０２ｂに固定具１０２Ａのラグ１０２ｆを締結固定するためのネジ（図示せず）を用いて、シェル１０２ｂの取付孔１０２ｇ（図１）を介してシェル１０２ｂに共締め固定される。このため、取付脚部１２を底部プレート１１に対して図示左右方向に移動可能とすることで、シェル１０２ｂの周方向に沿ったラグ１０２ｆの取り付け間隔によらず、本実施形態の支持装置１０をシェル１０２ｂに取り付けることができる。
【００２３】
２つの取付脚部１２、１２は、それぞれ、底部プレート１１側の上部プレート１２ａとシェル１０２ｂ側の下部プレート１２ｂを有する。２つの取付脚部１２、１２は同じ構造を有する。２つの取付脚部１２、１２は、底部プレート１１の下面側で底部プレート１１の長手方向に沿った両端近くに取り付けられる。各取付脚部１２は、底部プレート１１の短手方向に沿って延設されている。言い換えると、各取付脚部１２は、バスドラム１０２のシェル１０２ｂの周方向に互いに離間して軸方向に延設されている。
【００２４】
各取付脚部１２の上部プレート１２ａは、その長手方向の両端を図示下方に略直角に折り曲げた形状の帯状の金属板により形成されている。上部プレート１２ａは、底部プレート１１の短手方向に並んだ２本のスリット１１ｂに重なる向きで配置される。上部プレート１２ａは、ネジ１３を挿通するための２つのネジ孔（図示せず）を有する。上部プレート１２ａの２つのネジ孔は、上述した底部プレート１１の２本のスリット１１ｂにそれぞれ重なる位置に設けられている。なお、上部プレート１２ａの折り曲げた両端には、下部プレート１２ｂを回動可能に連結するための連結孔（図示せず）がそれぞれ設けられている。
【００２５】
上部プレート１２ａを底部プレート１１に取り付ける場合、上部プレート１２ａを底部プレート１１の下面に対向して重ねる。このとき、上部プレート１２ａの両端が底部プレート１１から離間する方向（図示下方）に向き、且つ上部プレート１２ａの長手方向が底部プレート１１の短手方向に沿う姿勢で上部プレート１２ａを配置する。さらに、このとき、上部プレート１２ａの２つのネジ孔が底部プレート１１の２本のスリット１１ｂにそれぞれ重なるように、上部プレート１２ａを底部プレート１１に対して位置合わせする。
【００２６】
そして、互いに重ねられた上部プレート１２ａのネジ孔と底部プレート１１のスリット１１ｂにネジ１３を通し、図示しないナットを用いて上部プレート１２ａを底部プレート１１に締結固定する。このとき、上部プレート１２ａは、スリット１１ｂの長さの範囲内で、ラグ１０２ｆの位置に合わせて、底部プレート１１の長手方向に沿った所望する位置に取り付け可能である。
【００２７】
下部プレート１２ｂは、その長手方向の両端を図示上方に略直角に折り曲げた形状の帯状の金属板により形成されている。下部プレート１２ｂは、折り曲げた両端が上部プレート１２ａ側に向く姿勢で、上部プレート１２ａに連結される。下部プレート１２ｂの折り曲げた両端は、例えば、上部プレート１２ａの折り曲げた両端の外側に重ねられる。下部プレート１２ｂの折り曲げた両端にも、上部プレート１２ａの上述した連結孔に重なる連結孔（図示せず）が設けられている。
【００２８】
つまり、互いに重ね合わされた上部プレート１２ａの連結孔および下部プレート１２ｂの連結孔に回動軸１４が挿通され、下部プレート１２ｂが上部プレート１２ａに対して回動軸１４周りに回動可能に連結される。上部プレート１２ａと下部プレート１２ｂの間の回動軸１４は、バスドラム１０２のシェル１０２ｂの軸方向に延設されている。よって、下部プレート１２ｂは、上部プレート１２ａに対して、バスドラム１０２のシェル１０２ｂの周方向に揺動可能となっている。
【００２９】
下部プレート１２ｂは、シェル１０２ｂの固定具１０２Ａを取り付けるための取付孔１０２ｇに対向するスリット１５を有する。シェル１０２ｂの取付孔１０２ｇは、１つのラグ１０２ｆに対して２つずつ設けられている。これら２つ１組の取付孔１０２ｇは、シェル１０２ｂの軸方向に離間して並んでいる。下部プレート１２ｂのスリット１５は、これら２つの取付孔１０２ｇの間の間隔より長くされており、下部プレート１２ｂのシェル１０２ｂに対する固定位置をシェル１０２ｂの軸方向に調整可能となっている。
【００３０】
下部プレート１２ｂをシェル１０２ｂに取り付ける場合、シェル１０２ｂの外側でシェル１０２ｂの取付孔１０２ｇに対向させて上述したラグ１０２ｆを配置し、シェル１０２ｂの内側で同じ取付孔１０２ｇに対向させて下部プレート１２ｂのスリット１５を重ねる。そして、シェル１０２ｂの内側からスリット１５および取付孔１０２ｇを介してネジを通してラグ１０２ｆに螺合する。これにより、ラグ１０２ｆとともに取付脚部１２の下部プレート１２ｂがシェル１０２ｂに締結固定される。
【００３１】
本実施形態によると、下部プレート１２ｂが上部プレート１２ａに対して揺動可能であるため、下部プレート１２ｂの角度を所望する角度に調整することができ、下部プレート１２ｂの取り付け角度をシェル１０２ｂの内面の曲率に合わせることができる。つまり、本実施形態によると、取付脚部１２のシェル１０２ｂに対する取付角度を任意に調整することができ、バスドラム１０２のサイズ（曲率半径）によらず、支持装置１０をシェル１０２ｂに確実且つ安定して固定することができる。
【００３２】
また、本実施形態によると、下部プレート１２ｂのスリット１５の長さをシェル１０２ｂの２つの取付孔１０２ｇの間の間隔より長くしたため、支持装置１０のシェル１０２ｂに対する取付位置を前後方向に調整することができる。例えば、支持装置１０は、キックパッド１の後述する打面カバー２ａが、バスドラム１０２の手前側のヘッド１０２ａに接触するか、或いはヘッド１０２ａに近接する位置に固定される。
【００３３】
底部プレート１１の図示上面側には、２本のメインフレーム１６、１６（支柱）が立設されている。２本のメインフレーム１６、１６は、例えば、金属製のパイプにより形成されており、底部プレート１１から上方に互いに略平行に延びている。各メインフレーム１６の下端には図示しないネジ孔が同軸に設けられている。そして、各メインフレーム１６、１６の下端に対向する底部プレート１１の部位には、各メインフレーム１６、１６のネジ孔に対向する図示しないネジ挿通孔が設けられている。
【００３４】
２本のメインフレーム１６、１６を底部プレート１１に固定する場合、底部プレート１１のネジ挿通孔を介してネジ１７（図２）を挿通し、メインフレーム１６の下端にあるネジ孔に螺合する。これにより、２本のメインフレーム１６、１６の下端が底部プレート１１に締結固定される。２本のメインフレーム１６、１６の図示上端には、キックパッド１が取り付けられる。
【００３５】
２本のメインフレーム１６、１６の間には、サブフレーム１８が架け渡されている。サブフレーム１８は、例えば、金属製のプレートにより形成されている。また、各メインフレーム１６の奥側には、それぞれ、支えフレーム２０、２０が設けられている。各支えフレーム２０は、細長い帯状の金属板により形成されており、その上端近くで互いに近付く方向に傾斜して折り曲げられている。各支えフレーム２０の上端は、サブフレーム１８を接続した位置で、メインフレーム１６に対して回動軸１９を中心に回動可能に取り付けられている。
【００３６】
各支えフレーム２０の下端には、バスドラム１０２のシェル１０２ｂの内面に突き刺すことで支持装置１０のシェル１０２ｂに対する移動を防止するための図示しない位置ズレ防止ピンが突出可能に設けられてもよい。２本の支えフレーム２０の下端近くには、２本の支えフレーム２０をつなぐ接続フレーム２１が取り付けられている。これにより、２本の支えフレーム２０は、回動軸１９を中心にメインフレーム１６に対して一体に回動可能となる。
【００３７】
２本の支えフレーム２０とそれぞれ対応するメインフレーム１６の間には、梁フレーム２２、２２が設けられている。梁フレーム２２の一端２２ａは、回動軸２３を介して、支えフレーム２０に対して回動可能に取り付けられている。梁フレーム２２の他端２２ｂには、スライドスリーブ２４が回動可能に取り付けられている。スライドスリーブ２４は、メインフレーム１６の周りで回動可能且つスライド可能に取り付けられている。
【００３８】
スライドスリーブ２４には、スライドスリーブ２４を貫通したネジ孔に螺合した蝶ネジ２５が取り付けられている。スライドスリーブ２４とメインフレーム１６の間には、ブッシュ２４ａが設けられている。蝶ネジ２５を締めると、蝶ネジ２５の図示しない先端がブッシュ２４ａをメインフレーム１６に向けて押し、ブッシュ２４ａが変形してメインフレーム１６の外周面に押し付けられて、スライドスリーブ２４が固定される。
【００３９】
スライドスリーブ２４をメインフレーム１６に沿って上下方向にスライドさせると、支えフレーム２０を回動軸１９を中心に回動させることができ、支えフレーム２０の下端を揺動させることができる。つまり、メインフレーム１６に対するスライドスリーブ２４の固定位置を調節することで、支えフレーム２０の下端とシェル１０２ｂの内面との間の距離を変えることができる。
【００４０】
このため、支持装置１０を図４に示すようにバスドラム１０２の中に取り付けて使用する際には、上述したように取付脚部１２の取り付け角度の調節が可能であることに加え、支えフレーム２０の回動角度を調節することができる。よって、取付脚部１２の取付角度や取付間隔に応じて底部プレート１１とシェル１０２ｂの内面との間の距離が変わっても、支えフレーム２０の下端をシェル１０２ｂの内面に当接させることができ、支持装置１０を安定させた状態でシェル１０２ｂに取り付けることができる。
【００４１】
キックパッド１は、パッド本体２をケース４の前面側に取り付けた構造を有する。本実施形態のキックパッド１は、２本のビーター１０９ａを並設したツインペダル（図示せず）に対応して、横長の略矩形ブロック状に形成されている。
【００４２】
パッド本体２は、図示しない複数枚の発泡シートおよびスポンジシートを重ねた積層体を打面カバー２ａで覆った構造を有する。発泡シートやスポンジシートの素材や材質、厚さ、枚数、配置順などは、パッド本体２の打面カバー２aをビーター１０９ａで叩いたときに要求されるキックパッド１の吸音性能や応答性能に応じて適宜変更可能である。打面カバー２ａの素材や材質、厚さなどは、ビーター１０９ａが打面カバー２ａを叩いたときに、所望するリバウンドを得ることができるように選択される。
【００４３】
パッド本体２は、この他に、図示しない圧電素子を内部に有する。圧電素子は、ビーター１０９ａによってキックパッド１を叩いたときに生じる振動を電気信号に変換して出力するセンサの一例である。キックパッド１を叩いたときに生じる振動を電気信号に変換するセンサとして、この他に、例えば、加速度センサや力センサなどを使用することができる。
【００４４】
ケース４は、２本のメインフレーム１６、１６の上端を通す２つの開口部４ａ、４ａを有する。開口部４ａの大きさは、キックパッド１を支持装置１０に取り付けた状態で、メインフレーム１６がキックパッド１のケース４に接触しない大きさに設計されている。
【００４５】
ケース４は、４つの緩衝部材６を介して、２本のメインフレーム１６、１６の上端に取り付けられている。４つの緩衝部材６は、ビーター１０９ａによって叩く方向と交差する方向に延設されている。すなわち、各緩衝部材６の一端がメインフレーム１６の上端近くに固定され、他端がケース４の側壁に固定されている。緩衝部材６は、２本のメインフレーム１６それぞれに２つずつ割り当てられている。つまり、本実施形態では、キックパッド１を支持装置１０に直接固定するのではなく、４つの緩衝部材６を介してキックパッド１を支持装置１０に取り付けている。
【００４６】
４つの緩衝部材６は、ビーター１０９ａによってキックパッド１を叩いたときに、衝撃を吸収するとともに、キックパッド１のわずかな動きを許容する。このとき、キックパッド１の打面（すなわち打面カバー２ａ）の動きは、アコースティックドラムのバスドラム１０２を叩いたときのヘッド１０２ａの動きに似ている。言い換えると、本実施形態の支持装置１０のように、複数の緩衝部材６を介して支持装置１０にキックパッド１を取り付けることにより、アコースティックドラムに近い打感を得ることができる。
【００４７】
また、複数の緩衝部材６を介して支持装置１０にキックパッド１を取り付けることにより、ビーター１０９ａによってキックパッド１を叩いたときの衝撃音を小さくすることができ、騒音を小さくすることができる。なお、底部プレート１１、メインフレーム１６、１６、サブフレーム１８、支えフレーム２０、２０、接続フレーム２１、梁フレーム２２、２２、スライドスリーブ２４、２４、および４つの緩衝部材６は、キックパッド１を支持する支持部として機能する。
【００４８】
以上のように、本実施形態によると、電子ドラムのキックパッド１をアコースティックドラムのバスドラム１０２の中に取り付けることができ、バスドラム１０２の前後方向の厚みが厚くなることがない。このため、本実施形態によると、キックパッド１の厚みの分だけバスドラム１０２が前にせり出すことがなく、ドラムセット１００の設置スペースを大きくすることなく、キックパッド１をアコースティックドラムに取り付け可能となる。
【００４９】
また、本実施形態の支持装置１０によると、底部プレート１１をバスドラム１０２のシェル１０２ｂに固定する取付脚部１２、１２が、上部プレート１２ａに対してシェル１０２ｂの曲率に合わせて回動する下部プレート１２ｂを有するため、キックパッド１を湾曲したシェル１０２ｂの内面に確実且つ安定して固定することができる。
【００５０】
また、本実施形態によると、底部プレート１１が、取付脚部１２を固定するためのスリット１１ｂを有するため、シェル１０２ｂの周方向に沿った取付脚部１２の取付位置を調整することができる。このため、例えば、取付脚部１２をシェル１０２ｂのラグ１０２ｆの位置に合わせることができ、支持装置１０をラグ１０２ｆの固定ネジを用いて共締めすることができる。
【００５１】
つまり、本実施形態では、バスドラム１０２のシェル１０２ｂにラグ１０２ｆを固定するための取付孔１０２ｇを利用して、支持装置１０の取付脚部１２を固定するようにしたため、２本のネジを用いてラグ１０２ｆと取付脚部１２をシェル１０２ｂに共締めすることができる。
【００５２】
このため、キックパッド１をアコースティックドラムに取り付けるための新たな取付孔をバスドラム１０２に設ける必要がなく、既存のバスドラム１０２にキックパッド１を容易に取り付けることができる。また、取付脚部１２を固定するネジをラグ１０２ｆを固定するネジと兼用にすることができ、部品点数を削減することができ、装置の製造コストを安価にすることができる。
【００５３】
また、本実施形態によると、各取付脚部１２の下部プレート１２ｂがシェル１０２ｂの軸方向に延びたスリット１５を有するため、支持装置１０の取付位置をシェル１０２ｂの軸方向に沿って調整することができる。このため、本実施形態の支持装置１０を用いると、キックパッド１の打面をバスドラム１０２のヘッド１０２ａに対向する位置に配置することができる。
【００５４】
（第２の実施形態）
図５は、第２の実施形態に係る支持装置４０にキックパッド１を取り付けた組立体６０を示す外観斜視図である。図６は、図５の組立体６０をバスドラム１０２の中に取り付けた状態を示す概略図である。以下の説明では、上述した第１の実施形態と同様に機能する構成要素に同一符号を付して、その詳細な説明を省略する場合もある。
【００５５】
支持装置４０は、演奏者から見てキックパッド１の右側に配置した右側支持フレーム４１、キックパッド１の左側に配置した左側支持フレーム４２、キックパッド１の上方に配置した上梁フレーム４３、およびキックパッド１の下方に配置した下梁フレーム４４を有する。右側支持フレーム４１、左側支持フレーム４２、上梁フレーム４３、および下梁フレーム４４は、４つの緩衝部材６と協働してキックパッド１を支持する支持部として機能する。キックパッド１は、これら４本のフレーム４１〜４４によって囲まれた空間内に配置される。
【００５６】
緩衝部材６は、キックパッド１のケース４の図示右側の側壁と右側支持フレーム４１の間、およびケース４の図示左側の側壁と左側支持フレーム４２の間に配置されている。上述した第１の実施形態では緩衝部材６をケース４の中に配置したが、本実施形態では、ケース４の外側に緩衝部材６を配置した。４つの緩衝部材６は、ビーター１０９ａによって叩く方向と交差する左右方向に延設されている。各緩衝部材６の一端が左右いずれかの支持フレーム４１、４２に固定され、他端がケース４の側壁に固定されている。これら４つの緩衝部材６は、上述した第１の実施形態と同様に機能する。
【００５７】
また、支持装置４０は、右側支持フレーム４１および左側支持フレーム４２（以下まとめて支持フレーム４１、４２と称する場合もある）の図示下端をバスドラム１０２のシェル１０２ｂの内面に固定するための下固定フレーム５１、および支持フレーム４１、４２の図示上端をシェル１０２ｂの内面に固定するための上固定フレーム５２を有する。すなわち、本実施形態の支持装置４０は、バスドラム１０２のシェル１０２ｂの径方向に対向した内面同士をつなぐように、その上下方向の両端がシェル１０２ｂの内面に固定される。
【００５８】
下固定フレーム５１は、後述する２つの弾性部材８、８と協働して、支持フレーム４１、４２の一端をシェル１０２ｂの内面に固定する第１固定部として機能する。また、上固定フレーム５２は、後述する２つの弾性部材８、８と協働して、支持フレーム４１、４２の他端をシェル１０２ｂの内面に固定する第２固定部として機能する。また、下固定フレーム５１、上固定フレーム５２、および４つの弾性部材８は、支持フレーム４１、４２の下端および上端をバスドラム１０２のシェル１０２ｂの内面に固定する固定部として機能する。
【００５９】
右側支持フレーム４１は、所定幅の細長い１枚の金属板を複数箇所で折り曲げた形状を有する。右側支持フレーム４１は、図示下方から上方に向けて、脚部分４１ａ、下傾斜部分４１ｂ、支持部分４１ｃ、上傾斜部分４１ｄ、および上端部分４１ｅを一体に連続して有する。
【００６０】
脚部分４１ａは、図示上下方向に延設され、その図示下端近くに、ネジ６１Ｒを挿通するための図示しない挿通孔を有する。脚部分４１ａの上端は、キックパッド１の底部近くまで延びている。脚部分４１ａの長さは、ビーター１０９ａがキックパッド１を叩く位置の高さに合わせて決められている。下傾斜部分４１ｂは、脚部分４１ａの図示上端から外方へ傾斜してキックパッド１の側壁の外側まで延びている。下傾斜部分４１ｂは、ネジ６２Ｒを挿通するための図示しない挿通孔を有する。
【００６１】
支持部分４１ｃは、キックパッド１の側壁に沿って、下傾斜部分４１ｂの上端から図示上方に延設されている。支持部分４１ｃは、緩衝部材６を取り付けるための４つの取付孔４１ｆを有する。４つの取付孔４１ｆのうち２つを用いて２つの緩衝部材６を取り付ける。残り２つの取付孔４１ｆは、キックパッド１の取付位置を上下に移動する際に使用する。図５では、一番下の取付孔４１ｆおよび下から３番目の取付孔４１ｆを用いて緩衝部材６を取り付けている。下から２番目の取付孔４１ｆおよび一番上の取付孔４１ｆを用いて２つの緩衝部材６を取り付けると、キックパッド１を図示の高さより少し高い位置に取り付けることができる。
【００６２】
上傾斜部分４１ｄは、支持部分４１ｃの図示上端から内側に傾斜してキックパッド１の上方まで延びている。上傾斜部分４１ｄは、ネジ６３Ｒを挿通するための図示しない挿通孔を有する。上端部分４１ｅは、上傾斜部分４１ｄの上端から上方へ延設されている。上端部分４１ｅは、ネジ６４Ｒを挿通するための図示しない挿通孔を有する。上端部分４１ｅの挿通孔は、上下に長い長円形であってもよい。上端部分４１ｅの長さは、バスドラム１０２の直径に応じて変更される。
【００６３】
左側支持フレーム４２は、所定幅の細長い１枚の金属板を複数箇所で折り曲げた形状を有する。左側支持フレーム４２は、図示下方から上方に向けて、脚部分４２ａ、下傾斜部分４２ｂ、支持部分４２ｃ、上傾斜部分４２ｄ、および上端部分４２ｅを一体に連続して有する。左側支持フレーム４２は、右側支持フレーム４１と左右対称な形状を有する。
【００６４】
脚部分４２ａは、図示上下方向に延設され、その図示下端近くに、ネジ６１Ｌを挿通するための図示しない挿通孔を有する。脚部分４２ａの上端は、キックパッド１の底部近くまで延びている。脚部分４２ａの長さは、ビーター１０９ａがキックパッド１を叩く位置の高さに合わせて決められている。下傾斜部分４２ｂは、脚部分４２ａの図示上端から外方へ傾斜してキックパッド１の側壁の外側まで延びている。下傾斜部分４２ｂは、ネジ６２Ｌを挿通するための図示しない挿通孔を有する。
【００６５】
支持部分４２ｃは、キックパッド１の側壁に沿って、下傾斜部分４２ｂの上端から図示上方に延設されている。支持部分４２ｃは、緩衝部材６を取り付けるための４つの取付孔４１ｆを有する。４つの取付孔４１ｆのうち２つを用いて２つの緩衝部材６を取り付ける。残り２つの取付孔４１ｆは、キックパッド１の取付位置を上下に移動する際に使用する。図５では、一番下の取付孔４１ｆおよび下から３番目の取付孔４１ｆを用いて緩衝部材６を取り付けている。
【００６６】
上傾斜部分４２ｄは、支持部分４２ｃの図示上端から内側に傾斜してキックパッド１の上方まで延びている。上傾斜部分４２ｄは、ネジ６３Ｌを挿通するための図示しない挿通孔を有する。上端部分４２ｅは、上傾斜部分４２ｄの上端から上方へ延設されている。上端部分４２ｅは、ネジ６４Ｌを挿通するための図示しない挿通孔を有する。上端部分４２ｅの挿通孔は、上下に長い長円形であってもよい。上端部分４２ｅの長さは、バスドラム１０２の直径に応じて変更される。
【００６７】
上梁フレーム４３は、支持フレーム４１、４２と同じ幅の細長い金属板を折り曲げた形状を有する。上梁フレーム４３は、キックパッド１の上方で、図示左右方向に延設されている。上梁フレーム４３の左右両端は、図示下方に向けて鈍角に折り曲げた形状を有する。上梁フレーム４３の左右両端の折り曲げ部分４３Ｒ、４３Ｌの折り曲げ角度は、支持フレーム４１、４２の上傾斜部分４１ｄ、４２ｄの傾斜角度と同じ角度に設定されている。
【００６８】
上梁フレーム４３の左右の折り曲げ部分４３Ｒ、４３Ｌは、支持フレーム４１、４２の上傾斜部分４１ｄ、４２ｄの内側に重ねて配置される。上梁フレーム４３の左右の折り曲げ部分４３Ｒ、４３Ｌには、ネジ６３Ｒ、６３Ｌを挿通するための図示しない挿通孔がそれぞれ設けられている。
【００６９】
上梁フレーム４３を支持フレーム４１、４２に取り付ける場合、右側支持フレーム４１の上傾斜部分４１ｄの挿通孔と上梁フレーム４３の右側の折り曲げ部分４３Ｒの挿通孔を重ねてネジ６３Ｒを挿通し、ナット６５を螺合して締め付ける。また、左側支持フレーム４２の上傾斜部分４２ｄの挿通孔と上梁フレーム４３の左側の折り曲げ部分４３Ｌの挿通孔を重ねてネジ６３Ｌを挿通し、ナット６５を螺合して締め付ける。これにより、上梁フレーム４３の右端が右側支持フレーム４１の上傾斜部分４１ｄに締結固定され、上梁フレーム４３の左端が左側支持フレーム４２の上傾斜部分４２ｄに締結固定される。
【００７０】
下梁フレーム４４は、支持フレーム４１、４２と同じ幅の細長い金属板を折り曲げた形状を有する。下梁フレーム４４は、キックパッド１の下方で、図示左右方向に延設されている。下梁フレーム４４の左右両端は、図示上方に向けて鈍角に折り曲げた形状を有する。下梁フレーム４４の左右両端の折り曲げ部分４４Ｒ、４４Ｌの折り曲げ角度は、支持フレーム４１、４２の下傾斜部分４１ｂ、４２ｂの傾斜角度と同じ角度に設定されている。
【００７１】
下梁フレーム４４の左右の折り曲げ部分４４Ｒ、４４Ｌは、支持フレーム４１、４２の下傾斜部分４１ｂ、４２ｂの内側に重ねて配置される。下梁フレーム４４の左右の折り曲げ部分４４Ｒ、４４Ｌには、ネジ６２Ｒ、６２Ｌを挿通するための図示しない挿通孔がそれぞれ設けられている。
【００７２】
下梁フレーム４４を支持フレーム４１、４２に取り付ける場合、右側支持フレーム４１の下傾斜部分４１ｂの挿通孔と下梁フレーム４４の右側の折り曲げ部分４４Ｒの挿通孔を重ねてネジ６２Ｒを挿通し、ナット６５を螺合して締め付ける。また、左側支持フレーム４２の下傾斜部分４２ｂの挿通孔と下梁フレーム４４の左側の折り曲げ部分４４Ｌの挿通孔を重ねてネジ６２Ｌを挿通し、ナット６５を螺合して締め付ける。これにより、下梁フレーム４４の右端が右側支持フレーム４１の下傾斜部分４１ｂに締結固定され、下梁フレーム４４の左端が左側支持フレーム４２の下傾斜部分４２ｂに締結固定される。
【００７３】
以上のように、左右の支持フレーム４１、４２の途中に上梁フレーム４３および下梁フレーム４４を架け渡してその両端を固定することで、支持装置４０のフレーム構造における捩れに対する剛性を高めることができる。本実施形態のように、左右の支持フレーム４１、４２の上傾斜部分４１ｄ、４２ｄをつないで上梁フレーム４３を取り付け、且つ支持フレーム４１、４２の下傾斜部分４１ｂ、４２ｂをつないで下梁フレーム４４を取り付けることにより、固定部分に設けるネジ６２Ｒ、６２Ｌ、６３Ｒ、６３Ｌの向きを互いに異ならせることができ、捩れに対するフレーム剛性をより高めることができる。
【００７４】
本実施形態のキックパッド１は、ツインペダルに対応可能なように左右に長い形状を有する。このため、キックパッド１に対して左右に片寄った力が作用し易く、捩じれ応力が作用し易い。本実施形態のように、捩じれに強いフレーム構造を作用することで、ツインペダルに適したキックパッド１の支持装置４０を提供することができる。
【００７５】
図７は、支持フレーム４１、４２の図示下端をバスドラム１０２のシェル１０２ｂに固定するための下固定フレーム５１およびその固定構造を示す分解斜視図である。下固定フレーム５１は、支持フレーム４１、４２と同じ幅を有する細長い金属板を湾曲および折り曲げた形状を有する。下固定フレーム５１は、湾曲部分５１ａの図示右端に右側固定部分５１Ｒを一体に連続し、且つ湾曲部分５１ａの図示左端に左側固定部分５１Ｌを一体に連続した形状を有する。下固定フレーム５１の湾曲部分５１ａは、シェル１０２ｂの曲率に合わせて下方に凸となるように湾曲されている。左右の固定部分５１Ｒ、５１Ｌは、湾曲部分５１ａの左右端から支持フレーム４１、４２の下端に向けて上方に延びている。
【００７６】
湾曲部分５１ａには、左右に離間した図示しない２つの取付孔が設けられている。左右の固定部分５１Ｒ、５１Ｌには、上述したネジ６１Ｒ、６１Ｌをそれぞれ挿通するための挿通孔５１Ｒａ、５１Ｌａが設けられている。下固定フレーム５１を支持フレーム４１、４２の下端に固定する場合、下固定フレーム５１の右側の固定部分５１Ｒの挿通孔５１Ｒａと右側支持フレーム４１の脚部分４１ａの下端に設けた図示しない挿通孔を重ねて、ネジ６１Ｒを挿通し、ナット６５を締め付ける。また、この場合、下固定フレーム５１の左側の固定部分５１Ｌの挿通孔５１Ｌａと左側支持フレーム４２の脚部分４２ａの下端に設けた図示しない挿通孔を重ねて、ネジ６１Ｌを挿通し、ナット６５を締め付ける。
【００７７】
湾曲部分５１ａに設けた各取付孔には弾性部材８、８が嵌合されて図示のように取り付けられる。弾性部材８は、例えばゴムにより形成されている。図８は、弾性部材８の斜視図であり、図９は、弾性部材８の断面図である。弾性部材８は、中心にネジ６６を挿通するための挿通孔８ａを有する。弾性部材８は、挿通孔８ａを中心とした回転対称体である。弾性部材８は、挿通孔８ａに沿って互いに離間した小径部分８１および大径部分８２を一体に有する。小径部分８１と大径部分８２の間には、円環状の取付溝８３が設けられている。言い換えると、弾性部材８は、小径部分８１と大径部分８２をつないだ中間部分８４の外周に取付溝８３を有し、中間部分８４の内部に挿通孔８ａを有する。つまり、中間部分８４の外周面８４ａが取付溝８３の底面となる。
【００７８】
小径部分８１は、大径部分８２から離間した先端に、先細にされた円環状のテーパー面８１ａを有する。大径部分８２は、湾曲部分５１ａの図示しない取付孔を通過不能な直径を有する。中間部分８４の外径は、湾曲部分５１ａの取付孔の内径よりわずかに小さい。弾性部材８を取付孔に取り付ける場合、湾曲部分５１ａの上方から取付孔に小径部分８１を押し込む。この際、小径部分８１のテーパー面８１ａが取付孔の縁に摺接して小径部分８１が縮径される。そして、小径部分８１が取付孔を通過した後、小径部分８１が元の大きさに戻り、取付溝８３が取付孔の縁に嵌る。この状態で、小径部分８１は、下固定フレーム５１の湾曲部分５１ａの下面側に突出する。
【００７９】
上記のように２つの弾性部材８を取り付けた下固定フレーム５１をバスドラム１０２のシェル１０２ｂに取り付ける場合、まず、シェル１０２ｂの外側から、シェル１０２ｂに予め設けた図示しない取付孔にネジ６６を挿通する。このとき、シェル１０２ｂの外面側に配置したワッシャ６７にネジ６６を通してからネジ６６を取付孔に挿通する。そして、シェル１０２ｂの内面側に配置した下固定フレーム５１の図示しない取付孔に嵌合した弾性部材８の挿通孔８ａにネジ６６を挿通する。さらに、湾曲部分５１ａの内側で、挿通孔８ａを介して突出したネジ６６にワッシャ６８を嵌め、ナット６９を螺合して締め付ける。これにより、下固定フレーム５１が２つの弾性部材８、８を介してシェル１０２ｂに固定される。
【００８０】
この状態で、弾性部材８の小径部分８１のテーパー面８１ａがシェル１０２ｂの取付孔の内面側から取付孔の周縁に押し付けられる。シェル１０２ｂの図示しない取付孔は、小径部分８１の先端側の最小の径よりわずかに大きく、且つ小径部分８１の最大の径よりわずかに小さい。このため、小径部分８１のテーパー面８１ａの途中の部位が取付孔の縁に嵌り、湾曲部分５１ａの下面とシェル１０２ｂの内面との間にわずかな隙間が形成される。この隙間は、弾性部材８の弾性変形を伴う支持装置４０のシェル１０２ｂに対する僅かな動きを許容する。つまり、支持装置４０は、キックパッド１をシェル１０２ｂに対して弾性的に支持する。
【００８１】
上固定フレーム５２は、下固定フレーム５１を上下に反転させた構造を有する。上固定フレーム５２は、支持フレーム４１、４２と同じ幅を有する細長い金属板を湾曲および折り曲げた形状を有する。上固定フレーム５２は、湾曲部分５２ａの図示右端に右側固定部分５２Ｒを一体に連続し、且つ湾曲部分５２ａの図示左端に左側固定部分５２Ｌを一体に連続した形状を有する。上固定フレーム５２の湾曲部分５２ａは、シェル１０２ｂの曲率に合わせて上方に凸となるように湾曲されている。左右の固定部分５２Ｒ、５２Ｌは、湾曲部分５２ａの左右端から支持フレーム４１、４２の上端に向けて下方に延びている。
【００８２】
湾曲部分５２ａには、左右に離間した図示しない２つの取付孔が設けられている。左右の固定部分５２Ｒ、５２Ｌには、上述したネジ６４Ｒ、６４Ｌをそれぞれ挿通するための図示しない挿通孔が設けられている。上固定フレーム５２を支持フレーム４１、４２の上端に固定する場合、上固定フレーム５２の右側の固定部分５２Ｒの挿通孔と右側支持フレーム４１の上端部分４１ｅの図示しない挿通孔を重ねて、ネジ６４Ｒを挿通し、ナット６５を締め付ける。また、この場合、上固定フレーム５２の左側の固定部分５２Ｌの挿通孔と左側支持フレーム４２の上端部分４２ｅの下端に設けた図示しない挿通孔を重ねて、ネジ６４Ｌを挿通し、ナット６５を締め付ける。
【００８３】
支持フレーム４１、４２の上端部分４１ｅ、４２ｅに設けた挿通孔を上下に長い長孔にした場合、支持フレーム４１、４２の上端に対し、上固定フレーム５２の取り付け位置を上下にわずかに調整することができる。言い換えると、本実施形態の支持装置４０は、上下方向の長さをわずかに変更可能である。このため、下固定フレーム５１および下固定フレーム５２をシェル１０２ｂの内面に取り付けた状態で、下固定フレーム５１の湾曲部分５１ａとシェル１０２ｂの内面との間の隙間、および上固定フレーム５２の湾曲部分５２ａとシェル１０２ｂの内面との間の隙間を調節することができ、弾性部材８のつぶれ具合を変えることができ、ビーター１０９ａで叩いたときのキックパッド１の挙動を変えることができ、打感を変えることができる。また、本実施形態によると、シェル１０２ｂの厚みに応じて支持フレーム４１、４２の上下方向の長さを変えることができ、厚みが異なるシェル１０２ｂにも支持装置４０を取り付けることができる。
【００８４】
なお、２つの弾性部材８を取り付けた上固定フレーム５２をバスドラム１０２のシェル１０２ｂに取り付ける場合、まず、シェル１０２ｂの外側から、シェル１０２ｂに予め設けた図示しない取付孔にネジ６６を挿通する。このとき、シェル１０２ｂの外面側に配置したワッシャ６７にネジ６６を通してからネジ６６を取付孔に挿通する。そして、シェル１０２ｂの内面側に配置した上固定フレーム５２の図示しない取付孔に嵌合した弾性部材８の挿通孔８ａにネジ６６を挿通する。さらに、湾曲部分５２ａの内側で、挿通孔８ａを介して突出したネジ６６にワッシャ６８を嵌め、ナット６９を螺合して締め付ける。これにより、上固定フレーム５２が２つの弾性部材８、８を介してシェル１０２ｂに固定される。
【００８５】
以上のように、本実施形態によると、電子ドラムのキックパッド１をアコースティックドラムのバスドラム１０２の中に取り付けることができ、バスドラム１０２の前後方向の厚みが厚くなることがない。このため、本実施形態によると、キックパッド１の厚みの分だけバスドラム１０２が前にせり出すことがなく、ドラムセット１００の設置スペースを大きくすることなく、キックパッド１をアコースティックドラムに取り付け可能となる。
【００８６】
また、本実施形態の支持装置４０によると、下固定フレーム５１をシェル１０２ｂの内面に対して弾性部材８を介して隙間を有して固定し、且つ上固定フレーム５２をシェル１０２ｂの内面に対して弾性部材８を介して隙間を有して固定したため、支持装置４０をシェル１０２ｂに対して移動可能にできる。また、キックパッド１は、複数の緩衝部材６を介して支持装置４０に対してフローティング状態で取り付けている。このため、ビーター１０９ａでキックパッド１を叩いたときの打感を、アコースティックドラムと同様にすることができ、ビーター１０９ａのリバウンドをよりリアルにすることができる。
【００８７】
また、本実施形態によると、キックパッド１を支持装置４０に取り付けた緩衝部材６の硬さ、および支持装置４０をシェル１０２ｂに固定した複数の弾性部材８の硬さを調節することができる。例えば、弾性部材８の硬さを調節する場合、ネジ６６の締め具合を調節すればよい。これにより、キックパッド１をビーター１０９ａで叩いたときの打感を調節することができ、ユーザーの利便性を向上させることができる。
【００８８】
また、本実施形態によると、支持装置４０の下固定フレーム５１の湾曲部分５１ａおよび上固定フレーム５２の湾曲部分５２ａを左右に離間した２位置でそれぞれネジ６６を用いてシェル１０２ｂの内面に固定したため、各ネジ６６を非平行に取り付けることができる。このため、捩れに強い支持装置４０の取付構造を提供することができ、ツインペダルに適したキックパッド１の支持装置４０を提供することができる。
【００８９】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【００９０】
例えば、上述した第１の実施形態では、バスドラム１０２のヘッド１０２ａに対してキックパッド１の打面を位置決めするように支持装置１０の取付位置を調整したが、これに限らず、ヘッド１０２ａは必須の構成ではなく、ヘッド１０２ａを間に挟まずにキックパッド１の打面をビーター１０９ａによって直接叩くようにしてもよい。或いは、叩いても音の出ないメッシュヘッドをシェル１０２ｂの手前側に取り付けてもよく、これにより、ビーター１０９ａによる打感を良好にすることができる。
【００９１】
また、上述した実施形態では、キックパッド１をバスドラム１０２の内部に取り付けるための支持装置１０、４０について説明したが、これに限らず、例えば、ヘッド１０２ａの内面に接触させて音をミュートする図示しないミューターなどをシェル１０２ｂの内面に固定する装置に本発明を適用することもできる。この場合、ミューターを取り付ける対象は、バスドラムに限らず、スネアドラム１０１やタム１０３、１０４、１０５などにミューターを取り付ける装置に本発明を適用することもできる。
【００９２】
また、上述した実施形態では、支持装置１０、４０を介してキックパッド１をバスドラム１０２のシェル１０２ｂに固定した場合について説明したが、これに限らず、キックパッド１のケース４の形状を工夫してシェル１０２ｂの内面にケース４の一部を固定するようにしてもよい。例えば、ケース４に支持装置としての機能を設けてもよい。この場合、ケース４とシェル１０２ｂの間に弾性部材８を設けることが望ましい。
【００９３】
さらに、上述した第１および第２の実施形態では、支持装置１０、４０を複数のフレームの組み合わせにより構成した場合について説明したが、これに限らず、１つのフレームとして一体に形成してもよい。
【符号の説明】
【００９４】
１…キックパッド、  ２ａ…打面カバー、  ６…緩衝部材、  ８…弾性部材、  １０、４０…支持装置、  １１…底部プレート、  １１ａ…リブ、  １１ｂ…スリット、  １２…取付脚部、  １２ａ…上部プレート、  １２ｂ…下部プレート、  １３…ネジ、  １４…回動軸、  １５…スリット、  １６…メインフレーム、  １７…ネジ、  ３０、６０…組立体、  ４１…右側支持フレーム、  ４２…左側支持フレーム、  ４３…上梁フレーム、  ４４…下梁フレーム、  ５１…下固定フレーム、  ５２…上固定フレーム、  １０２…バスドラム、  １０２ａ…ヘッド、  １０２ｂ…シェル、  １０２ｆ…ラグ、  １０２ｇ…取付孔、  １０２Ａ…固定具、  １０９ａ…ビーター。
【図１】
2019184939.tif 000003
【図２】
2019184939.tif 000004
【図３】
2019184939.tif 000005
【図４】
2019184939.tif 000006
【図５】
2019184939.tif 000007
【図６】
2019184939.tif 000008
【図７】
2019184939.tif 000009
【図８】
2019184939.tif 000010
【図９】
2019184939.tif 000011